(57)【特許請求の範囲】
【請求項１】
映像を投写する投写部と、
前記投写部が配設された筐体と、
前記筐体に形成されている外気取り入れ用の開口部に、配設されたフィルタの目詰り状態を特定可能なパラメータを検出する検出部と、
前記パラメータが所定の条件を満たした場合に、前記目詰り状態に関連する情報を報知可能な報知映像を前記投写部に投写させる制御部と
を備えたプロジェクタであって、
前記所定の条件を設定する設定操作が可能な操作部を備え、
前記制御部は、前記パラメータが前記設定された条件を満たした場合に、前記報知映像を投写させ、
前記制御部は、前記パラメータが前記所定の条件を満たし、かつ映像信号が未入力である場合、または入力している映像信号が当該プロジェクタによる映像の投写に対応していない未対応信号である場合に、前記報知映像を連続して投写させるプロジェクタ。
【請求項２】
前記操作部で設定された前記所定の条件を記憶する記憶部をさらに備え、
前記制御部は、前記パラメータが前記記憶部に記憶された前記所定の条件を満たした場合に、前記報知映像を投写させる請求項１に記載のプロジェクタ。
【請求項３】
前記制御部は、前記報知映像を投写させている状態で、映像信号が入力された場合、または入力している映像信号が当該プロジェクタによる映像の投写に対応している対応信号である場合に、前記報知映像の投写を停止させる請求項１または２に記載のプロジェクタ。
【請求項４】
前記パラメータは、前記開口部から外気を取り入れるための送風ファンの風量を表す、請求項１〜３のいずれか１項に記載のプロジェクタ。
【請求項５】
プロジェクタの筐体に形成されている外気取り入れ用の開口部に、配設されたフィルタの目詰り状態を特定可能なパラメータが、所定の条件を満たした場合に、前記目詰り状態に関連する情報を報知可能な報知映像を、前記筐体に配設された投写部に投写させる報知映像投写方法であって、
操作部を用いた設定操作によって設定された前記所定の条件を、前記パラメータが満たした場合に、前記報知映像を投写させ、前記パラメータが前記所定の条件を満たし、かつ映像信号が未入力である場合、または入力している映像信号が当該プロジェクタによる映像の投写に対応していない未対応信号である場合に、前記報知映像を連続して投写させる報知映像投写方法。
【発明の詳細な説明】
【技術分野】
【０００１】
本発明は、筐体に形成されている外気取り入れ用の開口部に、配設されたフィルタの目詰まり状態に関連する情報を報知可能な報知映像を投写するプロジェクタ、およびその報知映像を投写させる報知映像投写方法に関するものである。
【背景技術】
【０００２】
筐体内部が高温となるプロジェクタ等の電子機器は、一般的に、筐体内部に外気を取り入れてその外気を送風ファンで送風することによって筐体内を冷却する機能を有している。また、外気を取り入れる開口部には、一般的に、埃等の侵入を防止するためのフィルタが配設されている。この場合、電子機器の使用に伴って埃等が付着してフィルタが目詰りすることがあり、フィルタが目詰りした状態で電子機器を使用し続けたときには、筐体内部の過熱によって電子機器が故障するおそれがある。このため、この種の電子機器には、フィルタの目詰り状態を特定可能なパラメータ（ファンに流れる電流値や送風量等）を検出し、そのパラメータが所定の値となった時点で目詰り状態に関連する情報、具体的にはフィルタの清掃や交換を促す情報を報知する装置（例えば、特開２００４−６３９９３号公報において出願人が開示したフィルタ交換警告機構）が備えられている。
【特許文献１】特開２００４−６３９９３号公報（第６−１３頁、第３−６図）
【発明の開示】
【発明が解決しようとする課題】
【０００３】
ところが、上記した従来の電子機器には、改善すべき以下の課題がある。すなわち、この種の電子機器では、上記のパラメータが所定の値となった時点でフィルタの清掃や交換を促す情報を報知している。一方、フィルタの目詰りの進行速度は、電子機器の使用形態（使用場所や使用頻度）によって大きく異なる。例えば、電子機器としてのプロジェクタを、多くの人が頻繁に出入りするロビーに設置して長時間に亘って作動させるような使用形態（以下、このような使用形態を「第１の使用形態」ともいう）では、フィルタが短期間のうちに目詰りする。これに対して、プロジェクタを、埃の少ない会議室等で時折使用するような使用形態（以下、このような使用形態を「第２の使用形態」ともいう）では、長期間使用したとしてもフィルタが目詰りし難い。このため、第１の使用形態では、上記の情報が報知されてから電子機器の作動に支障を来すまでの期間が短いために速やかにフィルタの清掃や交換を行う必要がある。これに対して、第２の使用形態では、この期間が長いため、情報の報知後においても、しばらくの間はフィルタの清掃や交換を行わない状態で電子機器を支障なく使用することができる場合がある。しかしながら、従来の電子機器では、使用形態に拘わらず、上記のパラメータが所定の値となった時点でフィルタの清掃や交換を促す情報が一律に報知されるため、清掃や交換の時期を的確に判断することが困難な結果、この情報を報知する機能が有効に活用されていないのが現状であり、この点の改善が望まれている。
【０００４】
また、従来の電子機器としてのプロジェクタでは、上記した情報の報知の一形態として、フィルタの清掃や交換を促すメッセージを含む報知映像が投写される。この場合、報知映像を常に投写すると、外部からの映像信号（ソース信号）に基づく映像（ソース映像）を投写するときに、報知映像がソース映像に重ねて投写されてソース映像が見難くなって好ましくない。このため、従来のプロジェクタでは、一般的に、例えば電源投入時等のタイミングで所定の短い時間だけ報知映像を投写し、その後は報知映像の投写を停止している。しかしながら、この投写方法では、報知映像を投写する時間が所定の短い時間に限られるため、報知映像を見過ごしてしまうことがある。このため、従来のプロジェクタには、報知映像を見過ごすことによってフィルタの清掃や交換を行う機会を逸して、これによって故障が発生するおそれがあるという不都合があり、この点の改善も望まれている。
【０００５】
本発明は、かかる改善すべき課題に鑑みてなされたものであり、フィルタの目詰り状態に関連する情報の報知機能を有効に活用させ得るプロジェクタおよび報知映像投写方法を提供することを主目的とする。また、フィルタの目詰り状態に関連する情報を報知可能な報知映像を投写する際の不都合を解消し得るプロジェクタを提供することを他の主目的とする。
【課題を解決するための手段】
【０００６】
上記目的を達成すべく本発明に係る電子機器は、筐体と、前記筐体に形成されている外気取り入れ用の開口部に配設されたフィルタの目詰り状態を特定可能なパラメータを検出する検出部と、前記目詰り状態に関連する情報を報知する報知部と、前記パラメータが所定の条件を満たしたときに前記情報を前記報知部に報知させる制御部とを備えた電子機器であって、前記所定の条件を設定する設定操作が可能な操作部を備え、前記制御部は、前記パラメータが前記設定された条件を満たしたときに前記情報を報知させる。
【０００７】
また、本発明に係る情報報知方法は、電子機器の筐体に形成されている外気取り入れ用の開口部に配設されたフィルタの目詰り状態を特定可能なパラメータが所定の条件を満たしたときに、前記目詰り状態に関連する情報を報知する情報報知方法であって、操作部を用いた設定操作によって設定された前記所定の条件を前記パラメータが満たしたときに前記情報を報知する。
【０００８】
この電子機器および情報報知方法によれば、操作部を用いた設定操作によって設定された所定の条件をパラメータが満たしたときにフィルタの目詰り状態に関連する情報を報知することにより、例えば、目詰りし易い使用形態においては情報が早めに報知されるように条件を設定し、目詰りし難い使用形態においては情報が遅めに報知されるように条件を設定するというように、ユーザー自らが電子機器の使用形態に応じて条件を任意に設定することができる。したがって、この電子機器および情報報知方法によれば、設定を行ったユーザーが、実際にフィルタの清掃や交換を行うべき的確な時期を確実に認識することができる結果、使用形態に拘わらず固定的な１つの条件が満たされたときに目詰りに関する情報が報知される従来の電子機器と比較して、フィルタの目詰り状態に関連する情報の報知機能を十分有効に活用することができる。
【０００９】
また、本発明に係る電子機器は、上記の電子機器において、前記報知部としての表示部を備え、前記制御部は、前記パラメータが前記設定された条件を満たしたときに前記情報を報知可能な報知映像を前記表示部に表示させる。
【００１０】
この電子機器によれば、フィルタの目詰り状態に関連する情報を報知可能な報知映像を表示部に表示させることにより、例えば、ＬＥＤを点灯させたり音声案内によって目詰りに関する情報を報知する方法と比較して、ユーザーに対してフィルタの目詰り状態をより確実に報知することができる。
【００１１】
また、本発明に係るプロジェクタは、映像を投写する投写部と、前記投写部が配設された筐体と、前記筐体に形成されている外気取り入れ用の開口部に配設されたフィルタの目詰り状態を特定可能なパラメータを検出する検出部と、前記パラメータが所定の条件を満たしたときに前記目詰り状態に関連する情報を報知可能な報知映像を前記投写部に投写させる制御部とを備えたプロジェクタであって、前記所定の条件を設定する設定操作が可能な操作部を備え、前記制御部は、前記パラメータが前記設定された条件を満たしたときに前記報知映像を投写させる。
【００１２】
また、本発明に係る報知映像投写方法は、プロジェクタの筐体に形成されている外気取り入れ用の開口部に配設されたフィルタの目詰り状態を特定可能なパラメータが所定の条件を満たしたときに、前記目詰り状態に関連する情報を報知可能な報知映像を前記筐体に配設された投写部に投写させる報知映像投写方法であって、操作部を用いた設定操作によって設定された前記所定の条件を前記パラメータが満たしたときに前記報知映像を投写させる。
【００１３】
このプロジェクタおよび報知映像投写方法によれば、操作部を用いた設定操作によって設定された所定の条件をパラメータが満たしたときにフィルタの目詰り状態に関連する情報を報知可能な報知映像を投写させることにより、例えば、目詰りし易い使用形態においては報知映像が早めに投写されるように条件を設定し、目詰りし難い使用形態においては報知映像が遅めに投写されるように条件を設定するというように、ユーザー自らがプロジェクタの使用形態に応じて条件を任意に設定することができる。したがって、このプロジェクタおよび報知映像投写方法によれば、設定を行ったユーザーが、実際にフィルタの清掃や交換を行うべき的確な時期を確実に認識することができる結果、使用形態に拘わらず固定的な１つの条件が満たされたときに目詰りに関する情報が報知される従来の電子機器と比較して、フィルタの目詰り状態に関連する情報の報知機能を十分有効に活用することができる。また、このプロジェクタおよび報知映像投写方法では、報知映像を投写することによって目詰りに関する情報が報知されるため、例えば、ＬＥＤを点灯させたり音声案内によって目詰りに関する情報を報知する方法と比較して、ユーザーに対してフィルタの目詰り状態をより確実に報知することができる。
【００１４】
また、本発明に係るプロジェクタは、映像を投写する投写部と、前記投写部が配設された筐体と、前記筐体に形成されている外気取り入れ用の開口部に配設されたフィルタの目詰り状態を特定可能なパラメータを検出する検出部と、前記パラメータが所定の条件を満たしたときに前記目詰り状態に関連する情報を報知可能な報知映像を前記投写部に投写させる制御部とを備えたプロジェクタであって、前記制御部は、前記パラメータが前記所定の条件を満たし、かつ映像信号が未入力のときまたは入力している映像信号が当該プロジェクタによる映像の投写に対応していない未対応信号であるときに前記報知映像を連続して投写させる。
【００１５】
このプロジェクタによれば、パラメータが所定の条件を満たし、かつ映像信号が未入力のときまたは入力している映像信号が未対応信号であるときに報知映像を連続して投写することにより、所定の短い時間だけ報知映像を投写する従来のプロジェクタとは異なり、報知映像の見過ごしによってフィルタの清掃や交換を行う時期を徒過して、これによって故障が発生する事態を確実に防止することができる。
【発明を実施するための最良の形態】
【００１６】
以下、本発明に係る電子機器、情報報知方法、プロジェクタおよび報知映像投写方法の最良の形態について、添付図面を参照して説明する。図１，２に示すプロジェクタ１は、本発明に係る電子機器およびプロジェクタの一例であって、図１に示すように、本体部２およびリモコン３を備えて構成されている。本体部２は、図３に示すように、映像信号処理部１１、記憶部１２、投写部１３、送風ファン１４、風量検出部１５、受光部１６、制御部１７、およびこれらの各構成要素が収容（または配設）される筐体２ａ（図１，２参照）を備えて構成されている。この場合、筐体２ａには、両図に示すように、筐体２ａ内部の冷却に用いる外気（筐体２ａ外部の空気）を取り入れるための吸気口（本発明における開口部）２ｂ、および筐体２ａ内の空気を外部に排出するための排気口２ｃが形成されている。また、吸気口２ｂには、空気中の埃等を除去して筐体２ａ内部への埃等の侵入を防止するためのエアーフィルタ（本発明におけるフィルタ）１００が取り付けられている。
【００１７】
映像信号処理部１１は、筐体２ａの背面に配設された信号端子１１ａ（図２参照）を介して外部から入力した映像信号Ｓ１を映像投写用の映像データＤｉに変換して出力する。また、映像信号処理部１１は、後述するメニュー映像Ｐ２（図５参照）、設定用映像Ｐ３（図６参照）および報知映像Ｐ４（図７参照）を投写させるための映像データＤｉを生成して出力する。記憶部１２は、制御部１７によって実行される報知映像投写処理５０（図８参照）において用いられる基準値Ｗ０や、後述する設定内容等を記憶する。
【００１８】
投写部１３は、本発明における投写部、報知部および表示部に相当し、筐体２ａ内部に配設された図外の光源および光変調素子（一例として、液晶ライトバルブやＤＭＤ（Digital Micromirror Device））、並びに図１に示す投写レンズ１３ａを備えて構成され、映像信号処理部１１から出力される映像データＤｉに基づいて光変調した投写光Ｌ（図４参照）を出力することにより、各種の映像をスクリーン２００（同図参照）に投写する。この場合、投写部１３による報知映像Ｐ４の投写が、本発明における情報の報知および報知映像の表示に相当する。なお、ＤＭＤは米国テキサスインスツルメンツ社の商標である。
【００１９】
送風ファン１４は、筐体２ａ内部におけるエアーフィルタ１００の近傍に配設されて、吸気口２ｂから（エアーフィルタ１００を通して）取り入れた外気を投写部１３に向けて送風する。風量検出部１５は、本発明における検出部の一例であって、プロジェクタ１の筐体２ａ内に配設されて、送風ファン１４近傍における風量Ｗ１を検出して検出信号Ｓ２を出力する。この場合、風量Ｗ１は、本発明におけるパラメータの一例であって、エアーフィルタ１００の目詰りの程度が高いほど（エアーフィルタ１００が目詰りするほど）、その値が小さくなる。このため、風量Ｗ１の値に基づいてエアーフィルタ１００の目詰り状態を特定することが可能となる。受光部１６は、リモコン３から出力された赤外線信号Ｓ３を受光してリモコン３の各ボタンに対応する操作信号Ｓ４を出力する。
【００２０】
制御部１７は、プロジェクタ１を構成する各構成要素を制御する。また、制御部１７は、映像信号Ｓ１（映像データＤｉ）に基づく映像（以下、「ソース映像Ｐ１」ともいう：図４参照）を投写部１３に投写させる。また、制御部１７は、後述するリモコン３のメニューボタン２２やジョグボタン２３の操作に応じて、メニュー映像Ｐ２および設定用映像Ｐ３を投写部１３に投写させる。この場合、メニュー映像Ｐ２および設定用映像Ｐ３は、プロジェクタ１が行う各種の処理の内容や条件等を設定するための映像であって、これらの各映像Ｐ２，Ｐ３による案内に従って設定された設定内容が制御部１７によって記憶部１２に記憶される。また、制御部１７は、報知映像投写処理５０を実行することにより、本発明に係る報知映像投写方法に従って報知映像Ｐ４を投写部１３に投写させる。この場合、報知映像Ｐ４は、エアーフィルタ１００が目詰りしている旨の情報（本発明における目詰り状態に関する情報の一例）を報知するための映像であって、一例として、エアーフィルタ１００が目詰りしている旨、およびエアーフィルタ１００の清掃や交換を促す文字などを含む静止映像で構成されている。
【００２１】
リモコン３は、本発明における操作部に相当し、図１に示すように、電源ボタン２１、メニューボタン２２およびジョグボタン２３などの各種ボタンを備えて構成され、これらが操作されたときに各ボタンに対応する赤外線信号Ｓ３を出力する。
【００２２】
次に、プロジェクタ１の使用方法の一例、およびその際のプロジェクタ１の動作について、図面を参照して説明する。
【００２３】
このプロジェクタ１では、リモコン３の電源ボタン２１が操作されたときに、リモコン３が電源ボタン２１に対応する赤外線信号Ｓ３を出力する。次いで、受光部１６が、リモコン３から出力された赤外線信号Ｓ３を受光して電源ボタン２１に対応する操作信号Ｓ４を出力する。続いて、制御部１７が、操作信号Ｓ４に従ってプロジェクタ１を構成する各部を初期化し、次いで、図外の電源部を制御して各部に対する電源供給を開始させる。これに応じて、投写部１３の光源が点灯する。
【００２４】
また、送風ファン１４が始動して、吸気口２ｂから取り入れた外気が投写部１３に向けて送風される。この際に、風量検出部１５が、送風ファン１４近傍における風量Ｗ１を検出して検出信号Ｓ２を出力する。また、送風された外気は、筐体２ａ内部を流れて、排気口２ｃから筐体２ａの外部に排出される。これにより、投写部１３の光源や光変調素子から発生する熱による筐体２ａ内部の温度上昇が抑えられる。この場合、吸気口２ｂに取り付けられたエアーフィルタ１００を通過して外気が取り入れられるため、外気に含まれている埃等がエアーフィルタ１００に付着して除去される。このため、光源や光変調素子への埃の付着が防止される。
【００２５】
続いて、プロジェクタ１が行う各種処理についての条件等を設定するために、リモコン３のメニューボタン２２を操作する。この際に、リモコン３がメニューボタン２２に対応する赤外線信号Ｓ３を出力し、受光部１６がその赤外線信号Ｓ３（メニューボタン２２）に対応する操作信号Ｓ４を出力する。次いで、制御部１７が、操作信号Ｓ４に従い、映像信号処理部１１および投写部１３に対してメニュー映像Ｐ２の投写を指示する。これに応じて、映像信号処理部１１がメニュー映像Ｐ２用の映像データＤｉを出力し、投写部１３がその映像データＤｉに基づいて光変調した投写光Ｌを出力する。これにより、図５に示すように、スクリーン２００にメニュー映像Ｐ２が投写される。
【００２６】
次いで、メニュー映像Ｐ２の案内に従い、リモコン３の各ボタンを操作して、各種の処理や条件等を設定する。この場合、このプロジェクタ１では、エアーフィルタ１００が目詰りした際に投写される報知映像Ｐ４の投写時期、つまり報知映像Ｐ４を投写させる条件をメニュー映像Ｐ２の案内に従って任意に設定することが可能となっている。この報知映像Ｐ４の投写時期の設定を行う際には、リモコン３のジョグボタン２３を操作して、図５に示すように、メニュー映像Ｐ２内の各設定項目の中から、「フィルタの清掃・交換通知タイミング」の項目にカーソルを移動させて決定する。この際に、制御部１７が、操作信号Ｓ４に従って映像信号処理部１１および投写部１３に対して設定用映像Ｐ３の投写の指示をすることにより、図６に示すように、スクリーン２００に設定用映像Ｐ３が投写される。続いて、ジョグボタン２３を操作して、同図に示すように、設定用映像Ｐ３内の５種類の投写時期の中から、任意の投写時期にカーソルを移動させて決定する。
【００２７】
この場合、例えば、プロジェクタ１を多くの人が頻繁に出入りするロビーに設置して長時間に亘って作動させるときには、フィルタが短期間のうちに目詰りする。このため、このような使用形態のときには、設定用映像Ｐ３内の各投写時期（同図に示す「レベル１」〜「レベル５」）の中から、早い時期に（目詰りの程度が低い段階で）報知映像Ｐ４の投写が開始される「レベル１」を選択する。一方、例えば、埃の少ない会議室等でプロジェクタ１を時折使用するときには、長期間使用したとしてもフィルタが目詰りし難いため、このような使用形態のときには、設定用映像Ｐ３内の各投写時期の中から、遅い時期に（目詰りの程度が高くなったときに）報知映像Ｐ４の投写が開始される「レベル５」を選択する。
【００２８】
次いで、制御部１７は、選択操作に応じて出力される操作信号Ｓ４に基づき、選択されたレベルに予め対応付けられている風量の基準値Ｗ０を特定して記憶部１２に記憶させる。これにより、報知映像Ｐ４を投写する条件が設定される。この場合、例えば、初期状態における報知映像Ｐ４の投写時期（デフォルトの投写時期）を予め「レベル３」に設定しておき、変更を希望するときにのみ変更する（設定し直す）構成を採用することもできる。続いて、リモコン３の各ボタンを操作して、他の設定項目についての条件等を設定する。次いで、設定を終了するときには、リモコン３のメニューボタン２２を再度操作する。この際に、制御部１７が操作信号Ｓ４に従って映像信号処理部１１および投写部１３を制御することにより、設定用映像Ｐ３の投写を終了させる。
【００２９】
続いて、制御部１７は、図８に示す報知映像投写処理５０を実行する。この報知映像投写処理５０では、制御部１７は、風量検出部１５から出力されている検出信号Ｓ２に基づいて風量Ｗ１を特定する（ステップ５１）。次いで、制御部１７は、記憶部１２に記憶されている基準値Ｗ０を読み出して風量Ｗ１と比較し、風量Ｗ１が基準値Ｗ０以下か否かを判別する（ステップ５２）。この場合、エアーフィルタ１００が目詰りしていない状態のときには、外気が十分に取り入れられるため、風量Ｗ１が基準値Ｗ０よりも大きい値に維持される。このため、この状態では、制御部１７は、ステップ５２において風量Ｗ１が基準値Ｗ０以下ではないと判別して、ステップ５１，５２を繰り返して実行する。
【００３０】
一方、例えば、ＤＶＤプレーヤやパソコン等の外部装置（図示せず）からの映像信号Ｓ１に基づくソース映像Ｐ１を投写させる際には、図４に示すように、外部装置とプロジェクタ１とを接続ケーブルで接続して、次いで、外部装置を作動させて映像信号Ｓ１の出力を開始させる。続いて、映像信号処理部１１が、入力した映像信号Ｓ１を映像データＤｉに変換して出力する。次いで、投写部１３が映像データＤｉに基づいて光変調した投写光Ｌを出力する。これにより、同図に示すように、スクリーン２００にソース映像Ｐ１が投写される。
【００３１】
次に、例えば、プロジェクタ１の使用開始から所定期間が経過して、エアーフィルタ１００が目詰りし始めたときには、外気の取り入れが不十分となって風量Ｗ１が低下する。この場合、例えば、風量Ｗ１が基準値Ｗ０以下の値となったとき（本発明における「パラメータが所定の条件を満たしたとき」）には、制御部１７は、報知映像投写処理５０のステップ５２において、その旨を判別して、次いで、映像信号Ｓ１が未入力状態であるか否か、または入力している映像信号Ｓ１がプロジェクタ１による映像の投写に対応していない未対応信号（プロジェクタ１が映像の投写を行うことができない信号）であるか否かを判別する（ステップ５３）。この場合、外部装置からの映像信号Ｓ１が通常の映像信号（プロジェクタ１が映像の投写を行うことができる信号）であるときには、制御部１７は、報知映像Ｐ４を投写中であるか否かを判別する（ステップ５４）。この場合、この時点において報知映像Ｐ４を投写中ではないときには、制御部１７は、ステップ５１を実行する。
【００３２】
一方、外部装置による映像信号Ｓ１（通常の映像信号）の出力が停止したときには、制御部１７は、上記したステップ５３において、映像信号Ｓ１が未入力状態であると判別して、続いて、報知映像Ｐ４を投写中であるか否かを判別する（ステップ５５）。この場合、この時点において報知映像Ｐ４を投写中ではないときには、制御部１７は、映像信号処理部１１および投写部１３に対して報知映像Ｐ４の投写を指示する（ステップ５６）。これに応じて、映像信号処理部１１が報知映像Ｐ４用の映像データＤｉを出力し、投写部１３がその映像データＤｉに基づいて光変調した投写光Ｌを出力する。これにより、図７に示すように、スクリーン２００に報知映像Ｐ４が投写される。
【００３３】
次いで、制御部１７は、上記したステップ５１，５２を実行する。この場合、外部装置による映像信号Ｓ１（通常の映像信号）の出力が再開したときには、ステップ５３においてその旨を判別して、続いて、上記したステップ５４を実行する。この場合、この時点において報知映像Ｐ４が投写中であるため、制御部１７は、映像信号処理部１１および投写部１３に対して報知映像Ｐ４の投写停止を指示する（ステップ５７）。これにより、報知映像Ｐ４が投写が停止される。一方、映像信号Ｓ１の出力停止が継続している状態、または未対応信号である映像信号Ｓ１の入力が継続している状態において、報知映像Ｐ４が投写中のときには、制御部１７は、ステップ５３，５５においてその旨を判別して、報知映像Ｐ４の投写を継続させる（ステップ５８）。したがって、この状態においては、報知映像Ｐ４の投写が継続される。このため、このプロジェクタ１では、所定の短い時間だけ報知映像を投写する従来のプロジェクタとは異なり、報知映像の見過ごしによってエアーフィルタ１００の清掃や交換の時期を徒過して、これによって故障が発生する事態を確実に防止することが可能となっている。
【００３４】
次に、ユーザーが報知映像Ｐ４の投写によって清掃または交換が必要であることを知ってエアーフィルタ１００を清掃または交換したときには、風量Ｗ１が基準値Ｗ０よりも大きい値となる。この際には、制御部１７は、上記したステップ５２においてその旨を判別して、ステップ５１，５２を繰り返して実行する。以下、制御部１７が報知映像投写処理５０における各ステップを実行することにより、エアーフィルタ１００の目詰りの状態に応じて報知映像Ｐ４の投写および投写停止が行われる。この場合、このプロジェクタ１では、報知映像Ｐ４を投写させる条件を、使用形態に応じて任意に設定することが可能となっている。このため、設定を行ったユーザーが実際に清掃や交換を行うべき的確な時期を確実に認識することが可能となっている。
【００３５】
このように、このプロジェクタ１および報知映像投写方法によれば、エアーフィルタ１００の目詰り状態に関連する報知映像Ｐ４を投写させる条件をリモコン３を用いた操作によって設定し、その設定した条件を満たしたときに報知映像Ｐ４を投写させることにより、例えば、目詰りし易い使用形態においては報知映像Ｐ４が早めに投写されるように条件を設定し、目詰りし難い使用形態においては報知映像Ｐ４が遅めに投写されるように条件を設定するというように、ユーザー自らがプロジェクタ１の使用形態に応じて条件を任意に設定することができる。したがって、このプロジェクタ１および報知映像投写方法によれば、設定を行ったユーザーが、実際にエアーフィルタ１００の清掃や交換を行うべき的確な時期を確実に認識することができる結果、使用形態に拘わらず固定的な１つの条件が満たされたときに目詰りに関する情報が報知される従来の電子機器と比較して、フィルタの目詰り状態に関連する情報の報知機能を十分有効に活用することができる。
【００３６】
また、このプロジェクタ１および報知映像投写方法によれば、エアーフィルタ１００の目詰り状態に関連する情報を報知可能な報知映像Ｐ４を投写することにより、例えば、ＬＥＤを点灯させたり音声案内によって目詰りに関する情報を報知する方法と比較して、ユーザーに対して目詰り状態をより確実に報知することができる。
【００３７】
また、このプロジェクタ１によれば、映像信号Ｓ１が未入力のとき、および入力している映像信号Ｓ１がプロジェクタ１による映像の投写に対応していない未対応信号であるときに報知映像Ｐ４を連続して投写することにより、所定の短い時間だけ報知映像を投写する従来のプロジェクタとは異なり、報知映像の見過ごしによってエアーフィルタ１００の清掃や交換を行う時期を徒過して、これによって故障が発生する事態を確実に防止することができる。
【００３８】
なお、本発明は、上記の構成に限定されない。例えば、電子機器の一例としてのプロジェクタ１に適用した例について上記したが、ＬＣＤ、プラズマディスプレイおよびＣＲＴ等の表示部を備えて、その表示部に報知映像Ｐ４を表示する電子機器に適用することができる。また、音声出力部やＬＥＤ等の映像表示以外の報知部を備えて、音声を出力したり、ＬＥＤを点灯させることによって目詰り情報を報知する電子機器に適用することもできる。さらに、設定用映像Ｐ３内の複数の投写時期（レベル）の中の１つを選択することによって条件を設定する例について上記したが、例えば、リモコン３の数字ボタンを操作して基準値Ｗ０を数値入力することによって条件を設定する構成を採用することもできる。また、リモコン３に限定されず、本体部２（筐体２ａ）に配設された操作部を操作して上記の条件を設定することもできる。
【００３９】
また、風量検出部１５を備えて、エアーフィルタ１００の目詰りを特定可能なパラメータとしての風量Ｗ１を検出する構成例について上記したが、この構成には限定されない。例えば、送風ファン１４に供給する電圧または電流（本発明におけるパラメータの他の一例）を検出する検出部や、エアーフィルタ１００に照射した検査光の透過量（本発明におけるパラメータのさらに他の一例）を検出する検出部を備えた構成を採用することができる。この場合、これらの各構成を採用したときには、各検出部が検出するパラメータに応じて、基準値Ｗ０の単位や値をリモコン３を用いて任意に設定することで、上記した効果と同様の効果を実現することができる。また、上記したメニュー映像Ｐ２、設定用映像Ｐ３および報知映像Ｐ４は、一例であって、これらの各映像Ｐ２〜Ｐ４の内容を任意に規定することができるのは勿論である。
【図面の簡単な説明】
【００４０】
【図１】プロジェクタ１の投写レンズ１３ａ側から見た斜視図である。
【図２】プロジェクタ１の背面図である。
【図３】プロジェクタ１の構成を示すブロック図である。
【図４】ソース映像Ｐ１の投写方法を説明するための説明図である。
【図５】メニュー映像Ｐ２の投写画面図である。
【図６】設定用映像Ｐ３の投写画面図である。
【図７】報知映像Ｐ４の投写画面図である。
【図８】報知映像投写処理５０フローチャートである。
【符号の説明】
【００４１】
１  プロジェクタ、２  本体部、２ａ  筐体、２ｂ  吸気口、３  リモコン、１２  記憶部、１３  投写部、１４  送風ファン、１５  風量検出部、１７  制御部、１００  エアーフィルタ、Ｐ４  報知映像、Ｓ１  映像信号、Ｗ０  基準値、Ｗ１  風量
【図１】
0005130824.tif 000002
【図２】
0005130824.tif 000003
【図３】
0005130824.tif 000004
【図４】
0005130824.tif 000005
【図５】
0005130824.tif 000006
【図６】
0005130824.tif 000007
【図７】
0005130824.tif 000008
【図８】
0005130824.tif 000009